(57)【特許請求の範囲】
【請求項１】
給水管からの給水を加熱して給湯管から給湯する給湯回路と、浴槽内の浴槽水を追い焚き加熱する風呂循環回路と、前記給湯回路と風呂循環回路とが連通し１つのバーナ部で加熱される熱交換器と、前記給湯回路の給湯管から分岐して風呂循環回路途中に接続した湯張り回路とを備え、リモコンによる動作指示で風呂循環回路の自吸式の循環ポンプへの呼び水や、浴槽の残湯チェック後に追い焚き運転や保温運転、給湯回路から湯張り回路を介して、設定温度の湯水を浴槽に供給する湯張り運転とを行うものに於いて、前記リモコンには、呼び水や残湯チェックを行い追い焚きか湯張り運転と保温運転を行う自動運転と、呼び水や残湯チェック及び保温運転を行わない単純追い焚き運転と単純湯張り運転、呼び水や残湯チェックは行わず保温運転は行う追い焚き運転と湯張り運転を、それぞれ選択出来る自動運転モードを備えた事を特徴とする給湯風呂装置。
【発明の詳細な説明】
【技術分野】
【０００１】
この発明は、無駄な動作を省略して経済的で効率の良い風呂運転を行うことが出来る給湯風呂装置に関するものである。
【背景技術】
【０００２】
従来よりこの種のものに於いては、リモコンの風呂自動スイッチを押圧することで、自吸式の循環ポンプに呼び水を供給後、該循環ポンプを駆動して浴槽内に残湯があるかどうかを風呂フローセンサや水位センサ等で残湯チェックし、残湯が所定量ありの場合には、風呂循環回路による追い焚き運転を行い、残湯がない場合には、給湯回路からの湯張り運転を行うものであり、又この追い焚き運転後及び湯張り運転後には４時間程度の保温運転期間を保持するようにしているものであった。（特許文献１参照）
【先行技術文献】
【特許文献】
【０００３】
【特許文献１】特許３８０８６９１号公報
【発明の概要】
【発明が解決しようとする課題】
【０００４】
ところでこの従来のものでは、呼び水に４０秒（１０Ｌ）かかり、残湯チェックには４０〜７０秒もかかるものであり、使用者自身は昨日使用して浴槽の残湯状態を承知していて、残湯ありの状態でも風呂の自動運転スイッチを押圧すると、必要ではない呼び水と残湯チェックが行われ、又風呂自動運転の沸き上げ後の保温運転も、必要としない人は必要でなく、近年の省エネ志向からすると、水や電力、時間の無駄であり、経済的で効率の良い給湯風呂装置が望まれるものであった。
【課題を解決するための手段】
【０００５】
この発明はこの点に着目し上記課題を解決するために、特にその構成を、給水管からの給水を加熱して給湯管から給湯する給湯回路と、浴槽内の浴槽水を追い焚き加熱する風呂循環回路と、前記給湯回路と風呂循環回路とが連通し１つのバーナ部で加熱される熱交換器と、前記給湯回路の給湯管から分岐して風呂循環回路途中に接続した湯張り回路とを備え、リモコンによる動作指示で風呂循環回路の自吸式の循環ポンプへの呼び水や、浴槽の残湯チェック後に追い焚き運転や保温運転、給湯回路から湯張り回路を介して、設定温度の湯水を浴槽に供給する湯張り運転とを行うものに於いて、前記リモコンには、呼び水や残湯チェックを行い追い焚きか湯張り運転と保温運転を行う自動運転と、呼び水や残湯チェック及び保温運転を行わない単純追い焚き運転と単純湯張り運転、呼び水や残湯チェックは行わず保温運転は行う追い焚き運転と湯張り運転を、それぞれ選択出来る自動運転モードを備えたものである。
【発明の効果】
【０００６】
この発明によれば、残湯が目視で確認出来、呼び水や残湯チェックが必要なく又沸き上げ後の保温運転もいらない時には、呼び水や残湯チェック及び保温運転を行わない単純追い焚き運転を選択すれば良く、又残湯がないことが確認出来、呼び水や残湯チェックが必要なく又沸き上げ後の保温運転もいらない時には、呼び水や残湯チェック及び保温運転を行わない単純湯張り運転を選択すれば良く、更に呼び水や残湯チェックは必要ないが沸き上げ後の保温運転は必要な使用者は、保温運転ありの追い焚き運転或いは湯張り運転を選択すれば良く、又今まで通りで呼び水や残湯チェックがあり、しかも沸き上げ後の保温運転も必要な場合は、自動を選択すれば良いものであり、省エネ志向の使用者やそうでもない使用者のどちらでも良好に使用することが出来、特に省エネ志向の使用者にとっては水や電力、時間の無駄が排除出来、経済的で効率の良い給湯風呂装置を得ることが出来るものである。
【図面の簡単な説明】
【０００７】
【図１】この発明の一実施形態を示す貯湯式給湯装置の概略構成図。
【図２】同一実施形態のフローチャートで、Ａは「１．自動」、Ｂは「２．単純湯張り」、Ｃは「３．単純追い焚き」、Ｄは「４．湯張り保温」、Ｅは「５．追い焚き保温」。
【発明を実施するための形態】
【０００８】
次にこの発明の一実施形態を図面に基づいて説明する。
１は給湯風呂装置で、大別して給湯回路２、風呂循環回路３、湯張り回路４より構成されるものである。
【０００９】
先ず、給湯回路２について説明すると、５は給水管、６は給水の温度を検出する給水サーミスタから成る給水温度センサ、７は給水量を検出する給水流量センサ、８は給湯用熱交換器、９は出湯管、１０は給湯用熱交換器８の出口側の湯温を検出する出湯サーミスタ、１１は給水管５から給湯用熱交換器８をバイパスして出湯管９に接続するバイパス管、１２は出湯管９からの高温の湯とバイパス管１１からの低温の水とを混合して適温に制御するミキシング弁、１３は給湯管、１４は混合された湯の温度を検出するサーミスタから成る給湯温度センサ、１５は過流出を防止する水比例弁、１６は給湯管１３の端部に設けられた蛇口、１７は給湯用熱交換器８を加熱する加熱手段としてのバーナ部である。
【００１０】
次に、風呂循環回路３について説明すると、１８は浴槽、１９は風呂戻り管、２０は風呂往き管、２１は前記バーナ部１７により給湯用熱交換器８と共に加熱されるように一体とされた風呂用熱交換器、２２は浴槽１８内の湯を強制循環させる自吸式の循環ポンプ、２３は循環する浴槽水の温度を検出する風呂サーミスタ、２４は浴槽水の循環の有無を検出する風呂フローセンサ、２５は浴槽１８内の水位を圧力によって検出する圧力センサから成る水位センサ、２６は後述する湯張り回路４と風呂循環回路３を接続する湯張り三方弁である。
【００１１】
次に、湯張り回路４について説明すると、２７は前記給湯回路２の給湯管１３下流側より分岐され、前記風呂循環回路３の湯張り三方弁２６に接続された湯張り管、２８は湯張り管２７を開閉する湯張り電磁弁、２９は湯張り管２７を通過する流量を検出する湯張りフローセンサ、３０は浴槽水の給湯回路２への逆流を防止するために二重に設けられた逆止弁で、予め設定された設定湯張り量の湯を浴槽１８へ湯張りするものである。
【００１２】
３１はマイクロコンピュータより構成されこの給湯風呂装置１の制御を行う制御部である。３２は前記制御部３１に接続されて給湯風呂装置１の動作指示を行うリモコンで、自動運転スイッチ３３や風呂設定温度変更スイッチ３４、設定湯張り量変更スイッチ３５、保温スイッチ３６などの各種操作スイッチと表示器３７とが設けられているものであり、自動運転スイッチ３３を押圧すると自動運転モードとなって、リモコン３２の表示器３７には、「１．自動」  「２．単純湯張り」  「３．単純追い焚き」  「４．湯張り保温」  「５．追い焚き保温」と表示され、風呂設定温度変更スイッチ３４のアップダウン操作で上順、下順に設定されて、５秒以上そのままの状態で各運転が選択され決定する。
【００１３】
次に各運転を図２のフローチャートで説明すれば、Ａ「１．自動」は従来の自動運転と同様の運転を行うものであり、ステップ３８の呼び水供給では、湯張り三方弁２６で湯張り管２７と風呂循環回路３を連通させた後、湯張り電磁弁２８を短時間だけ開成して循環ポンプ２２に自吸用の呼び水を供給して一旦閉成し、そしてステップ３９では循環ポンプ２２を駆動して風呂フローセンサ２４が水流を検知したかを判断し、浴槽１８内に残湯があるとどうかの残湯チェックが行われ、ＹＥＳの残湯ありの場合には、ステップ４０に進み水位センサ２５で浴槽１８の水位を検知し設定水位未満では、ＹＥＳでステップ４１に進んでミキシング弁１２を水側として不足分を補水した後、ステップ４２に進みバーナ部１７を燃焼開始させると共に、循環ポンプ２２を駆動させ浴槽１８内の湯水を風呂循環回路３を循環させることで、風呂用熱交換器２１でバーナ部１７の燃焼熱と熱交換させて順次加熱させて沸き上げる追い焚き運転を行わせるものであり、ステップ４０で浴槽１８の水位が設定水位以上の場合は、ＮＯで補水することなく直ぐステップ４２の追い焚き運転を行うものである。
【００１４】
又上記のステップ３９の残湯チェックで、浴槽１８の水位が設定水位以上では、ＮＯでステップ４３に進み湯張り運転が行われるもので、この湯張り運転は、バーナ部１７の燃焼熱で給湯用熱交換器８を加熱すると共に、湯張り三方弁２６で湯張り管２７と風呂循環回路３を連通させた後、湯張り電磁弁２８を開成して、風呂設定温度の給湯を浴槽１８に湯張り回路４を介して水位センサ２５で設定水位まで湯張りするものであり、更にステップ４３の湯張り運転後及びステップ４２の追い焚き運転後は、自動的にステップ４４の保温運転に進むもので、この保温運転は、２０分毎に循環ポンプ２２を駆動させ風呂サーミスタ２３で浴槽水温度が風呂設定温度より２℃以上低下すると、風呂設定温度になるまで追い焚き運転を行うもので、この保温運転は開始から４時間で自動的に終了するものである。
【００１５】
次に図２のフローチャートＢ「２．単純湯張り」では、上記自動運転のように呼び水や残湯チェックは行わず、直ぐにステップ４５で湯張り運転を行うもので、即ち、バーナ部１７の燃焼熱で給湯用熱交換器８を加熱すると共に、湯張り三方弁２６で湯張り管２７と風呂循環回路３を連通させた後、湯張り電磁弁２８を開成して、風呂設定温度の給湯を浴槽１８に湯張り回路４を介して水位センサ２５で設定水位まで湯張りするものであり、この後の保温運転も行わないもので、使用者自身が浴槽１８の状況を把握しているのであれば、無駄な動作が必要なく省エネであり、単純に湯張り運転のみでも十分に使用者の満足を得ることが出来るものである。
【００１６】
次に図２のフローチャートＣ「３．単純追い焚き」では、上記自動運転のように呼び水や残湯チェックは行わず、直ぐにステップ４６で追い焚き運転を行うもので、即ち、バーナ部１７を燃焼開始させると共に、循環ポンプ２２を駆動させ浴槽１８内の湯水を風呂循環回路３を循環させることで、風呂用熱交換器２１でバーナ部１７の燃焼熱と熱交換させて順次加熱させて沸き上げる追い焚き運転を行わせるものであり、この後の保温運転も行わないもので、使用者自身が浴槽１８の状況を把握しているのであれば、無駄な動作が必要なく省エネであり、単純に追い焚き運転のみでも十分に使用者の満足を得ることが出来るものである。
【００１７】
次に図２のフローチャートＤ「４．湯張り保温」でも、上記自動運転のように呼び水や残湯チェックは行わず、直ぐにステップ４７で湯張り運転を行うもので、即ち、バーナ部１７の燃焼熱で給湯用熱交換器８を加熱すると共に、湯張り三方弁２６で湯張り管２７と風呂循環回路３を連通させた後、湯張り電磁弁２８を開成して、風呂設定温度の給湯を浴槽１８に湯張り回路４を介して水位センサ２５で設定水位まで湯張りするものであり、そして湯張り後は、ステップ４８で上記の自動運転の時と同じ４時間の保温運転を行うもので、湯張り運転は無駄な動作をなくして素速く行うが、湯張り後の入浴には自由度が欲しいと言う時に好適であり、使用者の選択の自由度を広げることが出来、極めて使用勝手が良いものである。
【００１８】
次に図２のフローチャートＥ「５．追い焚き保温」でも、上記自動運転のように呼び水や残湯チェックは行わず、直ぐにステップ４９で追い焚き運転を行うもので、即ち、バーナ部１７を燃焼開始させると共に、循環ポンプ２２を駆動させ浴槽１８内の湯水を風呂循環回路３を循環させることで、風呂用熱交換器２１でバーナ部１７の燃焼熱と熱交換させて順次加熱させて沸き上げる追い焚き運転を行わせるものであり、そして追い焚き後は、ステップ５０で上記の自動運転の時と同じ４時間の保温運転を行うもので、追い焚き運転は無駄な動作をなくして素速く行うが、追い焚き後の入浴には自由度が欲しいと言う時に好適であり、使用者の選択の自由度を広げることが出来、極めて使用勝手が良いものである。
【００１９】
このように、残湯が目視で確認出来、呼び水や残湯チェックが必要なく又沸き上げ後の保温運転もいらない時には、呼び水や残湯チェック及び保温運転を行わない単純追い焚き運転を選択すれば良く、又残湯がないことが確認出来、呼び水や残湯チェックが必要なく又沸き上げ後の保温運転もいらない時には、呼び水や残湯チェック及び保温運転を行わない単純湯張り運転を選択すれば良く、更に呼び水や残湯チェックは必要ないが沸き上げ後の保温運転は必要な使用者は、保温運転ありの追い焚き運転或いは湯張り運転を選択すれば良く、又今まで通りで呼び水や残湯チェックがあり、しかも沸き上げ後の保温運転も必要な場合は、自動を選択すれば良いものであり、省エネ志向の使用者やそうでもない使用者のどちらでも良好に使用することが出来、特に省エネ志向の使用者にとっては水や電力、時間の無駄が排除出来、経済的で効率の良い給湯風呂装置を得ることが出来るものである。
【符号の説明】
【００２０】
２  給湯回路
３  風呂循環回路
４  湯張り回路
１８  浴槽
２２  循環ポンプ
３２  リモコン
【図１】
0005385180.tif 000002
【図２】
0005385180.tif 000003